(57)【要約】【課題】  構造が簡単で、容易に設置やメンテナンスすることができるとともに、破損や変形することなく目地プレートを支持できる支承レールを提供すること。【解決手段】  レール部材と、該レール部材に前後方向に所定間隔を有し設けられたて複数個の隔壁と、該隔壁間にそれぞれ１つずつ配置され、円筒形状又は円柱形状のいずれかに形成された転動部材とで構成され、前記隔壁は、前記転動部材が前後方向に転動できるように、前後方向に前記転動部材の直径以上の間隔を有して形成されていることを特徴とする。【選択図】  図１
2018155055.tif 000002
【特許請求の範囲】
【請求項１】
レール部材と、該レール部材に前後方向に所定間隔を有し設けられたて複数個の隔壁と、該隔壁間にそれぞれ１つずつ配置され、円筒形状又は円柱形状のいずれかに形成された転動部材とで構成され、前記隔壁は、前記転動部材が前後方向に転動できるように、前後方向に前記転動部材の直径以上の間隔を有して形成されている支承レール。
【請求項２】
支承レールは、前記レール部材の強度を補強する補強板を更に備えることを特徴とする請求項１に記載の支承レール。
【請求項３】
前記隔壁は、レール部材の底面と上下方向に間隙を有して設けられていることを特徴とする請求項１又は請求項２のいずれかに記載の支承レール。
【発明の詳細な説明】
【技術分野】
【０００１】
本発明は目地部を介して設けられた左右の躯体の間の目地部に設けられる目地プレートを支持する支承レールに関する。
【背景技術】
【０００２】
従来、この種の床用目地装置に用いられる１つの支承レールとしては、少なくとも一対の支持バーと、この一対の支持バーに両端部が所定間隔を有して固定された複数本の軸と、これらの軸にそれぞれ回転可能に取付けられ、かつ、該軸の外径寸法よりも内径寸法が大きいとともに、下端部が前記一対の支持バーの下端部より下方へ突出するパイプ状のローラとからなるものが知られている（特許文献１）。
【０００３】
しかしながら、上記のような支承レールは、軸にローラーを取り付けているため、ローラーの交換を含むメンテナンスが困難であった。
また、他の支承レールとしては、コ字状のレールと、このレールに転がるように収納された目地プレート用支持部材をスライド移動できるように支持する複数個の球体と、これらの球体を所定間隔を有して配置することができるように前記レールに設けられ、かつ、該球体の直径よりも大きな寸法の球体収納部を形成する複数個の仕切壁とからなるものが知られている（特許文献２）。
【０００４】
しかし、上記の支承レールは、複数個の球体がそれぞれ目地プレートを点接触状態で受けているので、荷重を分散できず、球体、レール、目地プレート等が破損や変形してしまうおそれがあった。
【先行技術文献】
【特許文献】
【０００５】
【特許文献１】特開２００９−６３１４５号公報
【特許文献２】特開２０１５−３０９８６号公報
【発明の概要】
【発明が解決しようとする課題】
【０００６】
本発明は以上のような従来の欠点に鑑み、構造が簡単で、容易に設置やメンテナンスすることができるとともに、破損や変形することなく目地プレートを支持できる支承レールを提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の支承レールは、レール部材と、該レール部材に前後方向に所定間隔を有し設けられたて複数個の隔壁と、該隔壁間にそれぞれ１つずつ配置され、円筒形状又は円柱形状のいずれかに形成された転動部材とで構成され、前記隔壁は、前記転動部材が前後方向に転動できるように、前後方向に前記転動部材の直径以上の間隔を有して形成されていることを特徴とする。
【発明の効果】
【０００９】
以上の説明から明らかなように、本発明にあっては次に列挙する効果が得られる。
（１）請求項１に記載の発明においては、レール部材の隔壁間に転動部材を配置しているだけなので、設置やメンテナンスを容易に行うことができる。
（２）転動部材は円筒形状又は円柱形状のいずれかに形成されているので、目地プレートをスムーズに前後方向にスライド移動させることができる。
（３）また、転動部材は円筒形状又は円柱形状のいずれかに形成されているので、目地プレート支持台と線接触あるいは面接触状態で接触するため、これにより目地プレートからの荷重を点接触で接触するよりも分散化することができ、さらに転動部材、目地プレート支持台、レール部材等の変形・破損等を防止することができる。
（４）請求項２に記載の発明においても、前記（１）〜（３）と同様な効果が得られるとともに、レール部材の強度を向上させることができる。
（５）請求項３に記載の発明においても、前記（１）〜（４）と同様な効果が得られるとともに、雨水、ほこり等を隔壁の下部の間隙から排出することができる。
【図面の簡単な説明】
【００１０】
図１乃至図９は本発明の第１の実施形態を示す説明図である。
図１０乃至図１４は本発明の第２の実施形態を示す説明図である。
【図１】第１の実施形態を示す支承レールの平面図。
【図２】図１の２−２線に沿う断面図。
【図３】図１の３−３線に沿う断面図。
【図４】使用状態（床用目地プレートを設置した状態）の平面図。
【図５】図４の５−５線に沿う断面図。
【図６】図４の６−６線に沿う断面図。
【図７】地震で目地部が狭くなった状態の正面視側からの動作説明図。
【図８】地震で目地部が広くなった状態の正面視側からの動作説明図。
【図９】地震で左右の躯体が異なる前後方向に揺れ動いた状態の平面視側からの動作説明図。
【図１０】第１の実施形態を示す支承レールの平面図。
【図１１】図１０の１１−１１線に沿う断面図。
【図１２】図１０の１２−１２線に沿う断面図。
【図１３】使用状態（床用目地プレートを設置した状態）の平面図。
【図１４】図１３の１４−１４線に沿う断面図。
【発明を実施するための形態】
【００１１】
以下、図面に示す本発明を実施するための形態により、本発明を詳細に説明する。
【００１２】
図１乃至図９に示す本発明を実施するための第１の形態において、１は目地部２を介して設けられた一方の躯体３及び他方の躯体４間に設置された床用目地装置５に用いられる目地プレート６を支持する支承レールである。
なお、左右方向とは図４（平面視）における左右方向であり、前後方向とは図４における上下方向、上下方向とは図５における上下方向をいう。
【００１３】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
本実施形態の支承レール１は、図１及び図２に示すように、上向きコ字状のレール部材７と、該レール部材７に前後方向に所定間隔を有して設けられた複数個の隔壁８と、該複数の隔壁８の間にそれぞれ１つずつ配置された転動部材９とで構成されている。本実施形態では、この転動部材９の上には、該転動部材９に支持されているとともに、前後方向にスライド可能な目地プレート支持台１０が設けられる。
【００１５】
レール部材７は、本実施形態では上向きコ字状で、下部に取付部７ａが形成されており、この取付部７ａを一方の躯体３の壁面にビスで固定している。このレール部材７には、図１で示すように、所定間隔を有して複数個の隔壁８が形成されている。この隔壁８は転動部材９の直径以上（例えば２倍以上）の間隔を有して形成されており、好ましくは３倍以上の長さの間隔とすることが望ましい。
【００１６】
実施形態において隔壁８は、レール部材７の底面７ｂと上下方向に間隙を有して設けられている。このように隔壁８を設けることによりレール部材７の底面７ｂと隔壁８の間の間隙から雨水、ほこり等を排出することができる。
なお、この隔壁８の上端部は転動部材９の上端部よりも低い位置に位置するように形成されている。
【００１７】
レール部材７には、その外側に当接するように正面視略Ｌ字状で板状の補強板１１が前後方向に所定間隔を有して複数個設けられている。この補強板１１は本実施形態ではレール部材７の外側に溶接により固定されている。
【００１８】
転動部材９は、各隔壁８の間にそれぞれ１つずつ前後方向に転動できるように配置されている。この転動部材９は、実施形態では円柱状に形成されており、全長はレール部材７の底面７ｂの左右方向の長さよりもわずかに短く形成されている。なお、転動部材９は左右が開口した円筒形状（パイプ状）に形成してもよい。
【００１９】
このように転動部材９はレール部材７に単に配置（載置）されているだけなので、転動部材９の設置や交換が容易であり、例えばメンテナンスを簡単に行うことができる。
目地プレート支持台１０は、本実施形態では略直方体状のバー部材で、前後方向の長さは前記レール部材７と略同じ長さに形成されている。また、前後方向の長さはレール部材７の底面７ｂの左右方向の長さよりもわずかに短く形成されており、その高さはレール部材７の上端部と略同じ高さとなるように形成されている。なお、目地プレート支持台１０は角パイプ状に形成してもよい。
【００２０】
この目地プレート支持台１０の上面には複数個の枢支ピン１２が固定されており、この枢支ピン１２は後述する目地プレート６のピンボックス１３に挿入される。
この枢支ピン１２は必ず設けなければならないものではなく、例えば目地プレート支持台１０にピン挿入孔等を設け、このピン挿入孔に目地プレート６の一端部６ａ側の底面に設けたピンを挿入し、目地プレート６を取り付けてもよい。
【００２１】
また、目地プレート支持台１０を用いず、例えば目地プレートの一端部側の底面に突出部を形成し、この突出部を転動部材９に支持させて、目地プレートを取付けてもよい。
このように支承レール１は主に床用目地装置５の目地プレート６の一端部６ａを支持するために用いられる。
【００２２】
支承レール１を用いた床用目地装置５は、図４乃至図６に示すように、一方の躯体３の壁面に固定された支承レール１と、他方の躯体４に設けられた目地プレート支持部１４と、一端部６ａが前記支承レール１に支持状態で取り付けられ、他端部６ｂが前記目地プレート支持部１４に支持された目地プレート６とで構成されている。
【００２３】
目地プレート支持部１４は、他方の躯体４の上面に形成されており、目地プレート６の他端部６ｂを左右方向にスライド移動可能に支持する。この目地プレート支持部１４の目地部２の反対側の端部には、目地プレート６が乗り上げる乗り上げ傾斜面１５が形成されている。
【００２４】
目地プレート６は、浅皿状の目地プレート本体１６と、該目地プレート本体１６の内部に充填されたモルタルやコンクリート等の充填部材１７と、前記目地プレート本体１６の一端部側に設けられ、前記目地プレート支持台に固定された枢支ピン１２が挿入されるピンボックス１３と、目地プレート本体１６の上面に設けられた床化粧板１８と、目地プレート本体１６の他端部側にヒンジ部材１９を介して設けられたカバープレート２０とで構成されている。
【００２５】
この目地プレート６は前記目地プレート支持台１０の枢支ピン１２がピンボックス１３に挿入されることで、支承レール１に支持状態で取り付けられる。
【００２６】
地震で躯体３、４が左右方向に揺れ動き目地部２が少し狭くなると、図７に示すように、目地プレート６の他端部６ｂが乗り上げ傾斜面１５に乗り上げて揺れ動きを吸収する。
【００２７】
地震で躯体３、４が左右方向に揺れ動き目地部２が広くなると、図８に示すように、目地プレート６が目地プレート支持部１４上を左右方向にスライド移動し揺れ動きを吸収する。
【００２８】
地震で左右の躯体３、４が異なる前後方向に揺れ動くと、図９に示すように、目地プレート６の一端部側６ａを支持する目地プレート支持台１０は、レール部材７の転動部材８上を前後方向にスライド移動し、揺れ動きを吸収する。
【００２９】
[発明を実施するための異なる形態]
次に、図１０乃至図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１０乃至図１４に示す本発明を実施するための第２の形態において、前記本発明を実施するための第１の形態と主に異なる点は、略クランク形状のレール部材７Ａとし、レール部材７Ａの底面と上下方向に間隙を有しないように隔壁８を固定するとともに、レール部材７Ａの外側に補強板１１を備えず、円筒形状の転動部材９Ａを用いた支承レール１Ａにした点で、このような支承レール１Ａにしても前記本発明を実施するための第１の形態と同様な作用効果が得られる。
【産業上の利用可能性】
【００３０】
本発明は支承レールを製造する産業で利用される。
【符号の説明】
【００３１】
１、１Ａ：支承レール、            ２：目地部、
３：一方の躯体、                  ４：他方の躯体、
５：床用目地装置、                ６：目地プレート、
７、７Ａ：レール部材、            ８：隔壁、
９：転動部材、                    １０：目地プレート支持台、
１１：補強板、                    １２：枢支ピン、
１３：ピンボックス、              １４：目地プレート支持部、
１５：乗り上げ傾斜面、            １６：目地プレート本体、
１７：充填部材、                  １８：床化粧板、
１９：ヒンジ部材、                ２０：カバープレート。
【図１】
2018155055.tif 000003
【図２】
2018155055.tif 000004
【図３】
2018155055.tif 000005
【図４】
2018155055.tif 000006
【図５】
2018155055.tif 000007
【図６】
2018155055.tif 000008
【図７】
2018155055.tif 000009
【図８】
2018155055.tif 000010
【図９】
2018155055.tif 000011
【図１０】
2018155055.tif 000012
【図１１】
2018155055.tif 000013
【図１２】
2018155055.tif 000014
【図１３】
2018155055.tif 000015
【図１４】
2018155055.tif 000016